(57)【要約】      （修正有）【課題】平坦な折りたたみの状態から立体の箱形態に、また箱の状態から折りたたみの状態にワンタッチに近いきわめて簡単な操作で変更できる折りたたみ箱を提供する。【解決手段】左右にのびる水平な前面および後面山折り部５と、この前面および後面山折り部５の左右端から底面２の左右角部および箱上面３の左右角部までのびる側方傾斜山折り部６とが形成され、箱左右側面に、該側面の巾方向中央位置から底面の巾方向両角部および箱上面の巾方向両角部までのびる傾斜側面山折り部８，９が形成され、側面の傾斜側面山折り部が集合する巾方向中央位置は箱の前面および後面山折り部の端部に水平な谷折り部７を介して連なり、側面の前記巾方向中央位置が突部１０となり、箱上面の左右端縁に連接し、かつ、箱側面に接触する舌片部１１が形成され、箱上面には左右方向にのびて舌片部の先端まで達する切離し部４が形成されている。【選択図】図１
2013124127.tif 000002
【特許請求の範囲】
【請求項１】
平坦な折りたたみ状態から矩形状の底面をもつ箱状態に変形可能な折りたたみ箱であって、
箱前面および箱後面に、左右にのびる水平な前面および後面山折り部と、前記前面および後面山折り部の左右端から前記底面の左右角部および箱上面の左右角部までのびる側方傾斜山折り部とが形成され、
箱左右側面に、該側面の巾方向中央位置から前記底面の巾方向両角部および前記箱上面の巾方向両角部までのびる傾斜側面山折り部が形成され、
前記側面の前記傾斜側面山折り部が集合する前記巾方向中央位置は、水平な側方谷折り部を介して、前記前面および後面山折り部の端部に連なっており、これによって前記側面の前記巾方向中央位置が突部となっており、
前記箱上面の左右端縁に連接し、かつ、前記箱側面に接触する舌片部が形成され、前記箱上面には左右方向にのび、かつ、前記舌片部の先端まで達する切離し部が形成され、
前記箱側面に接触した前記舌片部を引き起すことにより前記切離し部が開口し、前記箱側面の前記突部を箱内側へ押し込むことにより、前記前面および後面山折り部、前記側方傾斜山折り部、および前記側方谷折り部が折りたたまれて平坦形状となることを特徴とする折りたたみ箱。
【請求項２】
平坦な折りたたみ状態から矩形状の底面をもつ箱状態に変形可能な折りたたみ箱であって、
少なくとも２つの上下に配置された水平な前面および後面山折り部と、前記前面および後面山折り部の間に形成され、かつ箱左右側面にわたってのびる水平な谷折り部と、
前記前面および後面山折り部と同じ高さ位置の箱側面の巾方向中央位置から該箱側面の前記谷折り部の両端までのびる傾斜側面山折り部と、
前記箱底面に隣接した前記前面および後面山折り部と同じ高さ位置の部分を最下段とし、前記箱上面に隣接した前記前面および後面山折り部と同じ高さ位置の部分を最上段としたとき、前記最下段にある前記巾方向中央位置から底面の前後巾方向両角部までのびる最下段傾斜側面山折り部と、
前記最上段にある前記巾方向中央位置から上面の前後巾方向両角部までのびる最上段傾斜側面山折り部と、
前記前面および後面山折り部の端部から前記前面および後面の谷折り部の端部までのびる側方傾斜山折り部と、
前記最下段にある前記前面および後面山折り部の端部から前記底面の両角部までのびる最下段側方傾斜山折り部と、
前記最上段にある前記前面および後面山折り部の端部から前記上面の両角部までのびる最上段側方傾斜山折り部と、
前記各巾方向中央位置から、対応する前面および後面山折り部の端部までのびる水平な側方谷折り部と、を有し、これによって前記箱側面の前記巾方向中央位置が突部となっており、
前記箱上面の左右端縁に連接し、かつ、前記箱側面に接触するように折りたたまれる舌片部を有し、
前記箱上面には左右方向にのび、かつ、前記舌片部の先端まで達する切離し部が形成され、
前記箱側面に接触した前記舌片部を引き起すことにより前記切離し部が開口し、前記箱側面の前記突部を箱内側へ押し込むことにより前記前面および後面山折り部、前記側方傾斜山折り部、前記最下段および最上段側方傾斜山折り部、前記谷折り部、および前記側方谷折り部が折りたたまれて平坦形状となることを特徴とする折りたたみ箱。
【請求項３】
前記平坦形状は、平面視で前記切離し部に沿う横中心線に対して上下対称で、かつ、縦中心線に対して左右対称な八角形状であることを特徴とする請求項１または２に記載した折りたたみ箱。
【請求項４】
前記舌片部は、前記箱上面に連なる表面と前記箱側面に連なる裏面とが三角形に折り重なっていることを特徴とする請求項１ないし３に記載した折りたたみ箱。
【請求項５】
山折り、谷折りの折り目の付いた１枚の矩形状シートで構成され、該シートの両端部を接着し、前記シートの前記両端部に直角な一辺部を前記箱上面の切離し部とし、前記一辺部に対向する他辺部を矩形状の底面側として重なり部分を接着し、前記シートの前記両端部および中央部を箱側面としたことを特徴とする請求項１ないし４に記載した折りたたみ箱。
【請求項６】
前記箱上面に、かつ前記切離し部を挟んでその両側に紐通し孔を形成したことを特徴とする請求項１ないし５に記載した折りたたみ箱。
【発明の詳細な説明】
【技術分野】
【０００１】
本発明は平坦形状に変形できる折りたたみ箱、特に駄菓子やケーキ類、サンドイッチ等の食物を収容する食品入れ、その他の小物入れとして携帯にも便利な折りたたみ箱に関する。
【背景技術】
【０００２】
直方体等の立体箱は矩形状の底面に続いて４側部が一体に立設されているため、この状態から平面形状に折りたたむには困難を伴なうが、底の部分を一体の固定形態にせず、例えばダンボール箱のように対角線方向に重なり合うように分割し、折りたたむ際には底面の重なりを外し、箱全体を角筒形にして側方へ折り倒すようにしたものが既に知られている。また、立方形の容器を側壁同志各稜線位置で容器内側に折り曲げるとともに、底部と側壁をそれぞれ対角線に沿って容器外側へ折り曲げるように複数の操作で折りたたむようにしたものもある（特許文献１）。
そのほか、側壁が蛇腹状に形成され、上面に開閉蓋が付いたケースなどでは、側壁の蛇腹状部分を折り重ね状態にした後、開閉蓋をケース前面に重ねるようにしたジャバラ状収納体も開示されている（特許文献２）。また、底面と上面を側面に沿うように引きのばして開放し、角筒状にしてから全体を片側へ倒して長尺の偏平状とすることも知られている（例えば特許文献３）。
【先行技術文献】
【特許文献】
【０００３】
【特許文献１】実開昭５０−６５８２６号公報
【特許文献２】特開昭６２−１５８６４０号公報
【特許文献３】特開２００４−７５０７５号公報
【発明の概要】
【発明が解決しようとする課題】
【０００４】
従来の折りたたみ可能な箱あるいは収納容器は、総じて折りたたみの操作に手数がかかり、また、折りたたんだ状態からワンタッチで簡単に立体形にするのに難点があり、さらに、折りたたんだ状態でも部分的に盛り上がりができたりして全面が必ずしも完全な平坦面にならない場合があった。特に、側面の上縁に開閉蓋を接合した蓋付きの箱では蓋の部分が邪魔になってコンパクトに折りたたむことができない。上述した特許文献１に示すものは、折りたたみの操作および立体形に引き起すときの操作に手数を要する。ジャバラ状収納体（特許文献２）では容積を大きくした場合、折りたたみ状態での厚みが厚くなり、また、立体形にしてジャバラ部分をのばしたときに立体状態を保持するための手段を付加しなければならず、コンパクト化するのに複雑な構造を強いられていた。
【０００５】
本発明は、折りたたみの状態から立体の箱形態に、また箱の状態から平坦な折りたたみの状態にワンタッチに近いきわめて簡単な操作で変更でき、また、箱の上面がそのまま蓋部分となり、かつ、この上面も簡単に開口状態にできる折りたたみ箱を提供することを目的とする。
【０００６】
本発明はまた、１枚の矩形シートを素材として箱の底面、側面および上面まで一体に形成でき、さらに、ワンタッチで上面を開口状態にしたり、前記上面を蓋閉状態にもできる簡易かつ軽量な折りたたみ箱を提供することにある。
【０００７】
本発明はさらに、八角形の平坦な状態から立体状態に立ち上げた状態にしたときに、そのままで型くずれのしない折りたたみ箱を提供することにある。
【課題を解決するための手段】
【０００８】
本発明の構成を記載するに際し、明瞭化のため、その構成各部に図面に記載した符号を用いて記載するが、この符号は例示であって、本発明をこの符号に係るものに限定されるものではない。
本発明に係る第１の発明によれば、平坦な折りたたみ状態から矩形状の底面をもつ箱状態に変形可能な折りたたみ箱であって、箱前面および箱後面に、左右にのびる水平な前面および後面山折り部５と、前記前面および後面山折り部５の左右端から前記底面の左右角部および箱上面の左右角部までのびる側方傾斜山折り部６とが形成され、箱左右側面に、該側面の巾方向中央位置から前記底面の巾方向両角部および前記箱上面の巾方向両角部までのびる傾斜側面山折り部８，９が形成され、前記側面の前記傾斜側面山折り部８，９が集合する前記巾方向中央位置は、水平な側方谷折り部７を介して、前記前面および後面山折り部５の端部に連なっており、これによって前記側面の前記巾方向中央位置が突部１０となっており、前記箱上面の左右端縁に連接し、かつ、前記箱側面に接触する舌片部１１が形成され、前記箱上面には左右方向にのび、かつ、前記舌片部１１の先端まで達する切離し部４，１２が形成され、前記箱側面に接触した前記舌片部１１を引き起すことにより前記切離し部４，１２が開口し、前記箱側面の前記突部１０を箱内側へ押し込むことにより、前記前面および後面山折り部５、前記側方傾斜山折り部６、および前記側方谷折り部７が折りたたまれて平坦形状となるようにした折りたたみ箱が提供される。
【０００９】
また、本発明に係る第２の発明によれば、平坦な折りたたみ状態から矩形状の底面をもつ箱状態に変形可能な折りたたみ箱であって、少なくとも２つの上下に配置された水平な前面および後面山折り部３１，３２と、前記前面および後面山折り部３１，３２の間に形成され、かつ箱左右側面にわたってのびる水平な谷折り部３３，３９と、前記前面および後面山折り部３１，３２と同じ高さ位置の箱側面の巾方向中央位置から該箱側面の前記谷折り部３３，３９の両端までのびる傾斜側面山折り部３７と、前記箱底面に隣接した前記前面および後面山折り部３１と同じ高さ位置の部分を最下段とし、前記箱上面に隣接した前記前面および後面山折り部３２と同じ高さ位置の部分を最上段としたとき、前記最下段にある前記巾方向中央位置から底面の前後巾方向両角部までのびる傾斜側面山折り部４０と、前記最上段にある前記巾方向中央位置から上面の前後巾方向両角部までのびる傾斜側面山折り部５２と、前記前面および後面山折り部３１，３２の端部から前記前面および後面の谷折り部３３の端部までのびる側方傾斜山折り部３６と、前記最下段にある前記前面および後面山折り部３１の端部から前記底面の両角部までのびる最下段側方傾斜山折り部４１と、前記最上段にある前記前面および後面山折り部３２の端部から前記上面の両角部までのびる最上段側方傾斜山折り部４２と、前記各巾方向中央位置から、対応する前面および後面山折り部３１，３２の端部までのびる水平な側方谷折り部３８，５３と、を有し、これによって前記箱側面の前記巾方向中央位置が突部５０，５４となっており、前記箱上面の左右端縁に連接し、かつ、前記箱側面に接触するように折りたたまれる舌片部１１を有し、前記箱上面には左右方向にのび、かつ、前記舌片部１１の先端まで達する切離し部４，１２が形成され、前記箱側面に接触した前記舌片部１１を引き起すことにより前記切離し部４，１２が開口し、前記箱側面の前記突部５０，５４を箱内側へ押し込むことにより前記前面および後面山折り部３１，３２、前記側方傾斜山折り部３６、前記最下段および最上段側方傾斜山折り部４１，４２、前記谷折り部３３，３９、および前記側方谷折り部３８，５３が折りたたまれて平坦形状となる構造の折りたたみ箱が提供される。
【００１０】
また、本発明の１つの形態によれば、請求項１または２に記載した折りたたみ箱において、前記平坦形状は、平面視で平面視で前記切離し部４，１２に沿う横中心線に対して上下対称で、かつ、縦中心線に対して左右対称な八角形状であることを特徴とする。
このような八角形状に折りたたまれることで外形が小さくなり、携帯や保管にも便利となる。また、折りたたみ状態では、例えば鍋を置くときに使用する鍋取りあるいは鍋敷等としてもそのまま使用でき、余分な張り出しや大きな段差がないため、安定してその上に鍋を置くことができる。
【００１１】
本発明の他の形態によれば、請求項１ないし３に記載した折りたたみ箱において、前記舌片部は、前記箱上面に連なる表面と前記箱側面に連なる裏面とが三角形に折り重なっていることを特徴とする。
この舌片部の表面が箱上面に連接しているため、前記舌片部を手先で上方へ引き起すだけで簡単に上面の口が全開する。
【００１２】
本発明のさらに他の形態によれば、請求項１ないし４に記載した折りたたみ箱において、山折り、谷折りの折り目の付いた１枚の矩形状シートで構成され、該シートの両端部を接着し、前記シートの前記両端部に直角な一辺部を前記箱上面の切離し部とし、前記一辺部に対向する他辺部を矩形状の底面側として重なり部分を接着し、前記シートの前記両端部および中央部を箱側面としたことを特徴とする。
１枚のシートで箱の底面から側部および上面まで一体に形成でき、製作が容易となる。
【００１３】
本発明のさらに他の形態によれば、請求項１ないし５に記載した折りたたみ箱において、前記箱上面に、かつ前記切離し部を挟んでその両側に持ち紐通し孔を形成したことを特徴とする。
この通し孔にコヨリ等の細紐を通すことで、この紐の部分を箱の持手としたり、あるいは上面の口を確実に閉じ状態にすることができる。また、上面は４側部で囲まれた内側寸法と同じ広さで大きく開口するので、袋としても使用でき、前記通し孔に紐を通して縛ることで簡単に袋の口を閉じ状態にできる。
【発明の効果】
【００１４】
本発明の折りたたみ箱は、極く簡単な操作で立体形の箱状態から八角形の平坦な折りたたみ形状に、また平坦な形状から箱状態に自由に変形でき、また、蓋部分を別体で設けることなく、蓋部分を別体で設けることなく箱上面がそのまま蓋となり、矩形のシートに所定の折り跡を付けるだけで１枚のシートから容易に製作でき、さらにワンタッチで簡単に箱上面の開き口を開き状態にしたり、閉じ状態にでき、簡易かつ携帯可能な小物入れ、あるいはケーキや駄菓子その他つまみ物食品入れとして有用である。
【図面の簡単な説明】
【００１５】
【図１】本発明の実施例１による折りたたみ箱の斜視図である。
【図２】実施例１に係る折りたたみ箱の正面図（ａ）、側面図（ｂ）および上面図（ｃ）である。
【図３】実施例１による折りたたみ箱の折りたたんだ状態における平面図（ａ）および底面図（ｂ）である。
【図４】図３（ａ）の矢視Ｆからみた正面図（ａ）および図３（ａ）の矢視Ｇからみた側面図（ｂ）である。
【図５】実施例１に係る折りたたみ箱の上面の口を全開にした状態の正面図である。
【図６】実施例１に係る折りたたみ箱の折り目跡を形成した素材シートの平面図である。
【図７】本発明の実施例２による２段折りたたみ箱の正面図（ａ）、側面図（ｂ）および上面図（ｃ）である。
【図８】実施例２に係る２段折りたたみ箱の底面図である。
【図９】実施例２に係る２段折りたたみ箱のほぼ折りたたんだ状態における正面図（ａ）および側面図（ｂ）である。
【図１０】実施例２に係る２段折りたたみ箱の折り目跡を形成した素材シートの平面図である。
【図１１】実施例１に係る折りたたみ箱の素材シートの他の例を示す平面図である。
【図１２】図１１に示す素材シートの変形例を示す平面図である。
【図１３】実施例２に係る２段折りたたみ箱の素材シートの他の例を示す平面図である。
【発明を実施するための形態】
【００１６】
次に、本発明を図面を参照しつつ各種の実施例について説明する。
本発明に係る折りたたみ箱あるいは２段ないし多段折りたたみ箱は、若干厚みがあり、かつ比較的腰の強い１枚の矩形状シートの折り曲げ、および一部ののり付け接着で製作される。なお、製作に際してのこの矩形シートの折り曲げおよび一部接着については図６および図１０を参照してさら後述する。
【実施例１】
【００１７】
まず、図１および図２（ａ），（ｂ），（ｃ）を参照すれば、実施例１に係る折りたたみ箱１は、長方形の底面２（図３（ｂ）の斜線部分）を有し、上面３は長手方向に沿って箱の開き口となる切離し部４が形成されている。なお、この折りたたみ箱１は正面（前面）と背面（後面）が同一形状、左右の側面が同一形状となっている。前記前面には上下高さ方向のほぼ中央位置で左右に水平にのびる前面山折り部５が形成されている。この山折り部５は箱全体の横長さより短かく、該山折り部５の両端から箱底面２の左右角部および箱上面３の左右角部までそれぞれ斜め下向き、および斜め上向きにのびる４つの側方傾斜山折り部６が形成され、さらに前面山折り部５の両端から箱側面の巾方向中央位置までのびる水平な側方谷折り部７が形成されている。なお、図では、前記山折り部５，６の部分を実線で、側方谷折り部７の部分を破線で示してある。箱１の後面側も同様である。
【００１８】
図１および図２（ｂ）に明示するように、箱の各側面はそれぞれ該箱の巾方向（箱の前後方向の巾）の中央位置から底面２の各角部へのびる２本の傾斜側面山折り部８と、上面３の各角部へのびる２本の傾斜側面山折り部９が形成されている。前述した箱前面および箱後面の山折り部５の端部から水平にのびる側方谷折り部７は、それぞれ箱側面の巾方向中央位置で終端しており、したがって箱側面の前記巾方向中央位置は前記傾斜側面山折り部８，９と前記側方谷折り部７が集合する突部１０となっている。
【００１９】
箱上面３の長手方向左右端縁には、表裏面２重に折り重ねられて略三角形となった舌片部１１が連接している。２重に折り重ねられた舌片部１１はその表面が箱上面３に連接し、かつ該表面には箱上面３の切離し部４に続く切離し部１２が舌片部先端まで形成され、２枚重ねの舌片部１１の裏面（折り重ねられた下面のシート）は箱側面に連接しており、この舌片部全体が下側へ折り曲げられて箱側面の略上半分の面に接触することにより、図１に示すように上面３の切離し部４および舌片部１１の切離し部１２は閉じた状態となっている。
【００２０】
図１および図２（ａ）〜（ｂ）の立体箱の状態から、舌片部１１を上方へ引き上げる（図２（ａ）の矢印Ｈ方向）ことにより、舌片部１１の表裏面の２重折り重ね状態が解かれ、舌片部１１の表面に形成された切離し部１２が開き、同時に箱上面３の切離し部４が開いて、箱の口が全開した状態となる。図５はこのときの状態を示している。この状態から再び舌片部１１を箱側面に接触するように下側へ折り曲げると、箱上面３の口が閉じて図１の状態となる。
【００２１】
次に、図３および図４を参照しつつ箱が平坦形状に折りたたまれた形態および折りたたみ操作について説明する。まず、舌片部１１を倒して箱側面に接触させた図１の状態から、箱の両側面の中央の突部１０を箱内側へ押し込む。この操作によって箱両側面に現れる側方谷折り部７が折りたたまれるとともに、箱前面および後面の山折り部５および左右の側方傾斜山折り部６が折りたたまれ、同時に箱両側面の中央突部から斜めにのびる傾斜側面山折り部８，９の山折り状態が解かれて偏平状態になり（図４（ａ），（ｂ）参照）、さらに図４（ａ），（ｂ）の矢印で示す方向に押し付けることで最終的に図３（ａ），（ｂ）に示すように八角形の平坦な折りたたみ状態となる。舌片部１１は側面の折りたたみ部分の間に挟さみ込まれた状態（図４（ａ））となる。
【００２２】
この折りたたみ状態から再び箱状態にするには、箱の前後面山折り部５に対応する部分の平坦八角形の対向辺の部分、具体的には図３（ａ）の符号５で示す部分を中央に向けて、つまり同図の矢印Ｆ，Ｆ′の方向に押し付ける。これによって上面切離し部４の長手方向左右側部の折りたたみ部分が上下に開き、両側面の前記巾方向中央位置から底面２および上面３の角部に至る４つの折り跡部分が傾斜側面山折り部８，９として山折り状態になり、同時に側方谷折り部７も谷折り状態に立ち上がり、この傾斜側面山折り部８，９が集合する側面中央部が突出し（突部１０）、図１に示す状態となる。
【００２３】
図６は実施例１に係る折りたたみ箱を製作する場合の素材となる長方形シートの平面図である。この長方形シート２０は或る程度の厚みと折りぐせの残る腰強さをもつ紙等のシート、例えば通常の厚紙あるいはやや厚目の和紙等が好適に用いられる。長方形シート２０は長手方向一端部に他端と接着されるのり代部分２１が形成され、図示のような形態に実線で示す山折りと破線で示す谷折りの折り跡が付けられる。ここで山折りとは図の紙面に向ってこちら向きに凸となる折り形態を指し、谷折りとは図の紙面に向ってこちら側が凹となる折り形態を指している。図６の実施例では、このシート２０の折り形態は左端ののり代部分２１を除いてシート２０の長手方向中央位置Ｃに対して左右対称（同一）である。
【００２４】
まず、図６の長方形シート２０において、長辺上縁２２からそれぞれｘの長さで３等分した水平な折り跡ａ，ｂおよびｃが付けられ、折り跡ｂからｘだけ下側にシート長手方向全長にのびる水平な山折りの折り跡ｄが付けられ、この折り跡ｄから長辺下縁２３まで（ｘ＋α）の領域が設けられている。したがって短辺の長さは（４ｘ＋α）となる。ここでαは箱の底面を形成するときの底面中央部の重なり部分を接着するのり代である。なお、長辺上縁２２からｘの距離にある折り跡ａは両端側と中央側（長手方向）にのみ部分的に形成された谷折りの折り跡であり、長辺上縁２２から２ｘの距離にある折り跡は両端側と中央側で谷折りの折り跡ｂ、その間の部分が山折りの折り跡ｃとなっている。前述の如く長辺上縁２２から３ｘの距離にある水平折り跡ｄは長辺全長にのびる山折りの折り跡となっている。
【００２５】
長辺側では両端（片端ののり代部分２１を除く）からｘの距離、および中央位置Ｃから両側へｘの距離にそれぞれ上下に縦にのびる折り跡ｅ，ｆが付けられている。この上下の折り跡ｅ，ｆは長辺上縁２２からｘの距離まで山折り（ｅ）、長辺下縁２３から（ｘ＋α）の距離の部分で谷折り（ｆ）となっており、その位置の中間部分（２ｘの部分）は上下の折り跡は付けられていない。また、図６において、シート長辺上縁２２近くのシート両端側に記されたＱ1 点は長辺上縁２２およびシート両端（片端の巾βののり代２１を除く）からそれぞれｘの距離にある点であり、シート中央側のＱ2 点は長辺上縁２２からｘ、シート中心Ｃから両側へｘの距離にある点である。また、シート両端側の長辺上縁２２に記されたＰ1 点はシート端部（片端ののり代２１を除く）からシート２０の厚み（紙厚ｈ）分を空けてその内側にとられた点であり、シート中央側の長辺上縁２２上の点Ｐ2 は上縁中央（シート中心Ｃ）で紙厚ｈ×２を空けてその両側にとられた点である。傾斜した線分Ｐ1 Ｑ1 （線分Ｓ1 ）および線分Ｐ2 Ｑ2 （線分Ｓ2 ）の部分には傾斜山折り跡ｇが付けられている。なお、巾βで示される前記のり代２１は箱の角胴部を形成するときのシート両端を接着するのり代である。そのほかの折り跡は４５°で傾斜した山折り跡ｇが図示のように両端領域と中央領域に付けられる。長辺の長さは図示のように両端側に２ｘ、中央側に４ｘの長さがとられ、残りは各端部と中央部との中間でそれぞれｙの長さがとられ、したがって長辺全長は（８ｘ＋２ｙ＋左端のり代の巾β）となる。
【００２６】
このようにして実線（山折り）および破線（谷折り）の折り跡が付けられた長方形シート２０は両端どおしをのり付け接着する前に山折り、谷折りの折りぐせを付けた後、長手方向の両端を接着する。そして順次この折りぐせにしたがって箱状態に折り込んでいく。長辺下縁２３は部分的に重なり合って箱底面部分となり、長辺上縁２２は箱開口部となる切離し部４（図１）となる。なお、この箱底面の重なり部分は長方形シート２０の長辺下端にのり代αとして確保されている（ｘ＋αの部分）。したがって短辺の長さは（４ｘ＋α）である。また、長辺上縁２０の両端および中央部の山折り部分は箱の両側面と接触する折り重ねた舌片部１１（図１）となるが、この場合、上縁２２の中央の線分Ｓ2 から傾斜山折り跡ｇおよび上下方向山折り跡ｅを折りたたんだ状態にしてから上縁側の谷折り跡ａを折りたたむ。両側の線分Ｓ1 についても同様であり、両側の線分Ｓ1 から傾斜山折り跡ｇおよび上下方向山折り跡ｅを折りたたんだ状態にしてから上縁側の谷折り跡ａを折りたたむ。最後に長辺下端の重なり合った部分（のり代α）を接着して底面を形成し、図１に示すような実施例１に係る折りたたみ箱が完成する。箱の底面は長辺（前面、後面）が寸法（ｘ＋ｙ＋ｘ）、短辺（側面）が寸法２ｘの長方形底面となる。因みに、シート２０の山折り跡ｄの部分は図１の箱状態にしたとき、前面山折り部５となる部分であり、長辺上縁２２の部分は箱上面の開口となる切り離４の部分である。
なお、ｘ，ｙの長さは所望の箱の大きさに応じて任意に定められるが、１例を挙げると、ｘ＝３５ｍｍ、Ｙ＝６７ｍｍ、底部ののり代α＝１０ｍｍ、胴部ののり代β＝８ｍｍである。
【実施例２】
【００２７】
図７は本発明の実施例２に係る２段折りたたみ箱３０を示したものであり、同図（ａ）は正面図、同図（ｂ）は側面図、（ｃ）は上面図である。また、図８は実施例２の折りたたみ箱３０の底面図である。図１の実施例１では前面中央に形成される水平な山折り部は１つであるが、実施例２では図７（ａ）に示す如く２つの前面山折り部３１，３２が上下に離隔して水平に形成されており、この意味で実施例２のものは２段の折りたたみ可能箱と称される。この場合も、箱３０の前面と後面、左側面と右側面はそれぞれ同一形状であり、ここでは主として前面および片側面について説明する。
【００２８】
前面の平行にのびる山折り部３１，３２の間に箱前面から箱側面の全巾までのびる水平な谷折り部３３が形成されている。ここで１段目、２段目、……最上段というのは、前面山折り部３１，３２の位置および該山折り部３１，３２と同じ高さ位置にある箇所を指し、下方から上方へ順に１段目、２段目……と称することとする。この場合、例えば２段折りたたみ箱では１段目が最下段となり、２段目が最上段となる。これによれば、底面３４からすぐ上の前面山折り部３１までが１段目（実施例２の２段箱では最下段）、その上の前面山折り部３２から上面３５までが２段目（最上段）となる。１段目の前面山折り部３１の端部から底面３４の前面角部および前面谷折り部３３の端部までのびる側方傾斜山折り部４１，３６が形成されている。ここで側方傾斜山折り部４１は最下段側方傾斜山折り部である。１段目の側面には、実施例１でも説明したように、巾方向中央位置から箱底面３４の前後角部まで、および前記谷折り部３３の側面巾方向両端までのびる４つの傾斜側面山折り部４０，３７が形成され、さらにこの４つの傾斜側面山折り部４０，３７が集合する巾方向中央位置から前記前面山折り部３１の端部までのびる水平な側方谷折り部３８が形成され、また側面位置で前記前面谷折り部３３につながる側面谷折り部３９が側面の全巾にわたって形成され、これによって１段目の側面中央位置に突部５０が形成されている（図７（ｂ））。ここで傾斜側面山折り部４０は最下段傾斜側面山折り部である。
【００２９】
２段目も１段目と略同様に２段目前面山折り部３２の端部から前記前面谷折り部３３の端部および箱上面３５の前後角部までのびる２段目の側方傾斜山折り部３６，４２が形成されている。前記側方傾斜山折り部４２は最上段側方傾斜山折り部である。２段目の側面も１段目と同様に巾方向中央位置から箱上面３５の前後角部まで、および前記谷折り部３３の側面巾方向両端（即ち側面谷折り部３９の両端）までのびる４つの傾斜側面山折り部５２，３７が形成され、この傾斜側面山折り部５２，３７の集合する巾方向中央位置から２段目前面山折り部３２までのびる水平な側方谷折り部５３が形成され、これによって２段目の側面中央位置に突部５４が形成されている（図７（ｂ））。なお、前記傾斜側面山折り部５２は最上段傾斜側面山折り部である。箱上面３５の左右端には図１で説明したのと同様の折り重ね舌片部１１が形成され、また上面中央には左右の舌片部１１の先端までのびる開き口となる切離し部４が形成されている（図７（ｃ））。折り重ね舌片部１１はその表面が箱上面３５に連接し、裏面は箱側面に連接するように折り重ねられていることは実施例１と同様であり、かつ舌片部１１が箱側面に接触するように折り曲げられことで上面３５の切離し部４が閉じた状態となり、舌片部１１を側面から上方へ引き起すことで、該舌片部１１および上面３５の切離し部１２，４が開き、開口状態となる。この形態は図５で説明したのと同様である。
【００３０】
折り重ね舌片部１１を側面に接触させた状態で２段目の両側面突部５４を箱内側へ押し込むことで２段目の前後面が山折りに、左右側面が谷折りにそれぞれ折りたたまれ、１段目の両側面突部５０を箱内側へ押し込むことで、同様に１段目の前後面および左右側面が折りたたまれ、これによって図９（ａ），（ｂ）に示すように箱全体が偏平に折りたたまれる。折りたたまれた状態では、実施例１の図３と同様の八角形平坦面形状となる。なお、図４および図９では明瞭化のため、上下に或る厚みを持った折りたたみ状態で図示してあるが、図９（ａ）の矢印方向へ押し付けることで実際にはこれよりさらに平坦な形態に折りたたまれる。折りたたみ状態から箱形状にするには、１，２段目の前面（後面）山折り部３１，３２を図９（ｂ）の矢印方向に押し付けることにより、前面、後面および両側面が箱形状に立ち上がる。この形態は実施例１と同様である。
【００３１】
図１０は実施例２に係る２段折りたたみ箱を製作する場合の素材となる折り跡の付いた長方形シート６０の平面図である。この長方形シート６０の厚み（紙厚）、腰強さ等は実施例１のものと同様でよいが、実施例２の場合は図６に示す実施例１のシート２０に対し長手方向にのびる折り跡部分および傾斜した山折り部が追加されており、これによって長方形シート６０の短辺方向がその分長くなっている。
【００３２】
図１０において、長方形シート６０の左端に、右端と接着するのり代６１が設けられ、また箱の底面となるシート下端部分にも該底面の一部重なり部分をのり付けするのり代αが設けられている。短辺の長さは（６ｘ＋α）であり、この各ｘの位置で谷折り、山折りの折り跡が付けられる。長辺の長さは実施例１の場合と同様であり、胴部ののり代６１の巾βを加えて（８ｘ＋２ｙ＋β）となっている。図１０で長辺上縁６２から２ｘまでの部分および長辺下縁６３から（２ｘ＋α）までの部分を除いた部分（短辺中央の２ｘの部分）が２段折りたたみ箱を構成するために図６の長方形シート２０に対し追加された部分である。この追加部分Ａの短辺方向中央位置に長手方向全長にのびる谷折り跡（破線）６４が形成され、この谷折り跡６４から下側の符号６６の部分が箱の１段目部分となり、該谷折り跡６４から上側の符号６５の部分が箱の２段目部分となる。なお、長辺上縁６２から２ｘまでの部分および長辺下縁６３から（２ｘ＋のり代α）までの部分は図６のシート２０と同じ形態であり、共通する部分には同じ符号を付し、重複した説明は可能な限り省略する。
【００３３】
次に、２段折りたたみ箱を構成する場合の長方形シート６０の追加部分Ａを説明すれば、この追加部分Ａは、短辺片端ののり代部分６１を除いてシート中心線Ｃに対して左右対称であり、したがって、のり代の巾βを除く片側部分（前記シート中心線から左側）のみを説明する。この追加部分Ａは短辺一端からｘの位置で、かつ前記谷折り跡６４の位置で、９０°の角度で交差した２つの山折り跡ｊ，ｋが追加部分Ａの上縁および下縁まで形成され、さらに前記短辺一端から長手方向（３ｘ＋ｙ）の位置で、かつ前記谷折り跡６４の位置で同様に９０°の角度で交差した２つの山折り跡ｍ，ｎが形成されている。前記中心線Ｃから他方の片側部分（右側）も同様である。
【００３４】
追加部分Ａの上縁６５は、２段折りたたみ箱の長方形シート６０の上縁から下方へ２ｘの部分にそのまま連接し、追加部分Ａの下縁６６は、２段折りたたみ箱の長方形シート６０の下縁から（２ｘ＋のり代α）の部分に連接している。つまり、追加部分Ａの上縁６５は短辺片端から２ｘの部分まで谷折り、この谷折り跡の端部からｙの部分で山折り、さらにその端部から右側へ４ｘの部分で谷折り、そこからさらに右側ｙの部分で山折り、そこからさらに他端へ向って２ｘの部分で谷折りとなっている。追加部分Ａの下縁６６も同様である。
【００３５】
このような長方形シート６０は図６でも説明したのと同様に各折り跡の部分をそれぞれ山折り、谷折りの折りぐせを付けた後、片端部ののり代６１の位置で両端部を接着し、箱形に折り込み、シート下端の底面となる長さ（ｙ＋２ｘ）および２ｘの部位のシートの重なり部分（箱の状態では底面の前後重なり部分、図８参照）を接着し、上縁６２の折り重ね舌片部を箱上部の両側面に接触させることにより、図７のような上面の口の閉じた（同図（ｃ））、２段に積み上がった（同図（ａ），（ｂ））２段折りたたみ箱３０が得られる。
【実施例３】
【００３６】
実施例２は底面側を１段目（最下段）、上面側を２段目（最上段）とした２段折りたたみ箱の例であるが、本発明ではこれに限定されず、実施例３として前記長方形シート６０の前記追加部分Ａを２つ上下方向に連接して並べた構成とすることにより、３段折りたたみ箱とすることができる。一般に、前述した同形の追加部分Ａを複数個上下につないだ形態にすることで多段折りたたみ箱とすることが可能である。
【実施例４】
【００３７】
本発明に係る折りたたみ箱は、底面ののり付け部を外し、かつ胴部（周部）を上下方向に切断すると、１枚の矩形状シートとなるが、この胴部の切断箇所は理論的にはどの位置で切断してもよく、その切断位置をどこにするかによって矩形状シートの平面形状が異なってくる。実施例１では、図６からも分かるように、折りたたみ箱１の片側面の中央位置が展開した矩形状シート２０の両端位置となり、この部分にのり代部分２１が付加されてシート両端が接合されるが、図６に示す展開シートにおいては、箱形に組み立てた場合、その接合面は底面から箱側面の突部１０（図１）を通って上方へ真直にのびることとなり、接合強度の点ではやや不安が残る。図１０の２段折りたたみ箱の矩形状シート６０も同様に、箱形に組み立てた場合、その接合面は底面から箱側面の突部５０，５４（図７）を通って上方へ真直にのびることとなり、接合強度の点ではやや不安が残る。これに対し図１１の実施例４では箱の胴部の切断位置を変えて、のり付け接合部の強度を高め、かつ平坦形状への折りたたみ、および箱形態への立ち上げがスムーズになるようにしたシート形態となっている。
【００３８】
実施例４による図１１の矩形状素材シート７０は、図１に示す折りたたみ箱１を図６とは異なる位置で切断してシート状に展開したものである。その切断形態は、底面ののり付け接合を外し、折りたたみ箱１の側方傾斜山折り部６に沿い、かつ箱底面の折り重ねられた谷折り跡（底面前縁の内側に位置する、図６で符号Ｅ（ｆ）に相当する部分）および上面側縁から該側縁の中央位置までを切断してシート状にしたものであり、シート７０の片端、具体的には山形の凸部７１の現れる側のシート端部にのり代部分７３（図１１の平行斜線部分）を付加した形態となっている。シート７０の他端には前記山形の凸部７１に対応した谷形の凹部７６が現れている。なお、図１１で符号７２の部分は箱の底面となる部分、７４は前面山折り部の部分、シート長辺の上縁７５は箱上面の切離し部となる部分、７７は箱上面に連接する舌片部となる部分である。図６で説明すれば、同図の矩形状シート２０ののり代部分２１をなくした両端を一体に連接した形態で同図の折り跡Ａ，Ｂ，Ｄ，Ｅの線に沿って切断し、かつ切断した片端側全域（左側の山形の凸部７１が現れる片端）にのり代部分７３を付加したシート構成となっている。矩形状シート７０に形成された山折り、谷折りの個々の折り跡は図６と同様であり、実線の折り跡は山折り、点線の折り跡は谷折りである。
このようなシート構成とすることにより、のり代部分の長さが長くなり、かつ山形と谷形との接合となるため、接合部の強度が増加し、また、偏平な折りたたみ状態から箱状態へ、箱状態から折りたたみ状態へとスムーズに変化させることができる。なお、のり代部分は上述と反対側の端部、即ち谷形の凹部７６が現れる端部（右側）に形成してもよいことは勿論である。
【００３９】
図１２は図１１に示す実施例４の変形例を示した矩形状シート７０の平面図である。この場合は、図１の折りたたみ箱１の傾斜側面山折り部８，９に沿って切断している。即ち、図６に示す矩形状シート２０ののり代部分２１なくした両端を一体に連接した状態で図６の折り跡Ｆ，Ｇ，Ｈ，Ｋの線に沿って切断し、かつ谷形の凹部７６が現れる側のシート端部にのり代部分７３を付加した形態となっている。図１２で図１１と同じ部分には同じ符号を付してある。この場合も図１１と同様にのり代部分７３の長さが長くなり、かつ山形と谷形との接合となるため、接合部の強度が増加し、また、偏平な折りたたみ状態から箱状態へ、箱状態から折りたたみ状態へとスムーズに変化させることができる。なお、のり代部分７３は上述と反対側の端部、即ち山形の凸部７１が現れる端部（左側）に形成してもよいことは勿論である。
【実施例５】
【００４０】
図１３は本発明の実施例２に係る２段折りたたみ箱３０を製作するときの素材シートの他の実施例を示した平面図である。この場合も図７に示す２段折りたたみ箱３０をシート状に展開するときの箱胴部の切断位置を変えたものであり、この実施例５の矩形状シート８０の両端を接合したときは図１０の矩形状シート６０の場合と同形状になる。図１３の実施例５では、図７に示す２段折りたたみ箱３０において底面３４ののり付け接合を解き、該底面の折り重ねられた谷折り跡（底面前縁の内側に位置した図１０に符号Ｆで示す部分）を切断し、ここから最下段傾斜側面山折り部４０を突部５０の位置まで切断し、そこからさらに箱前面につながる傾斜側面山折り部３７に沿って前面谷折り部３３の端部まで切断し、さらに２段目（最上段）突部５４へ向かう傾斜側面山折り部３７に沿って該突部５４の位置まで切断し、さらに箱前面側の上面角部に向って最上段傾斜側面山折り部５２を切断し、最後に上面側縁をその中央位置まで切断することにより、図１３に示す形態の矩形状素材シート８０に展開される。より具体的に図１０で説明すれば、シート片端ののり代部分６１をなくした状態のシート両端を一体に連接した状態で同図の符号Ｂ，Ｄ，Ｅ，Ｆ，Ｇ，Ｈの折り跡に沿って切断すると、図１３の矩形状シート８０となる。図１３で符号８２は底面となる部分、８４は前面山折り部、８５は上面中央の切離し部となる部分、８７は舌片部に対応する部分である。図１３で示したＡの部分は図１０でも説明した追加部分であり、この部分を上下に隣接して複数個つないだ形態にすることにより、３段以上の多段折りたたみ箱に形成できる。なお、図１１〜図１３で前記各シートの長辺上縁に記載の一対の点Ｐは紙厚ｈ×２だけ離間しした山折りの開始点であり、この関係も図６、図１０の場合（Ｐ1 ，Ｐ2 ）と同様である。そして、このシート８０の片端、この例では谷形の凹部８６が現れる側のシート端部全域にのり代部分８３が付加される。のり代部分８３は山形の凸部８１が現れる側のシート端部に設けてもよいことは勿論である。
【００４１】
この実施例の場合も、のり代部分の長さが長くなり、かつ谷形（または山形）に屈曲したのり代部分で箱胴部を接合することになるので、箱形態に組み上げたときの接合強度が増加し、また偏平な折りたたみ状態から箱状態へ、箱状態から偏平折りたたみ状態へと変化させるのが容易となる。なお、３段ないし多段折りたたみ箱についても傾斜側面山折り部に沿った同様の切断により、図１３に類似した片端部に山形凸部が、他端に谷形凹部が形成された矩形状素材シートに展開される。
【実施例６】
【００４２】
また、上述の各実施例では横長の直方体形の箱としたが、横巾と縦巾が等しい立方体形の箱としてもよい。また、図６，図１０のシート２０，６０において、寸法ｙあるいはｘの長さを長く（短く）することで、左右の長さが長い（短い）折りたたみ箱が得られる。さらに、同図の寸法ｘの長さを長く（短く）すれば、箱の前後方向の巾長さおよび上下高さの大きい（小さい）折りたたみ箱が得られる。なお、長方形底面の前後巾は２ｘ、左右の巾は（２ｘ＋ｙ）である。
【実施例７】
【００４３】
上記各実施例の折りたたみ箱あるいは多段折りたたみ箱は菓子入れや小物入れとして有用であり、このような用途では片手で持ち運びできる大きさに形成されるが、場合によっては、図３（ａ）に例示する如く、箱の上面に前記切離し部を挟んでその両側に一対の小孔７８を明けて、この孔にコヨリ等の持手となる細紐を通すようにしてもよい。小孔７８に通した細紐は持手としてだけでなく、上面の切離し部の口を確実に閉じるために使用してもよい。本発明の素材シートは紙製のシートのみならず、山折り、谷折りの折り跡が残り、かつ或る程度の腰強さのある合成樹脂製シート、布製シート、金属製シートなどで形成してもよい。
本発明の折りたたみ箱は硬質でかつ可撓性のある１枚のシートで作製され、蓋を別体でヒンジ状に取り付けたりすることなく上面を閉じた状態にでき、かつ、上面を側胴の内寸法と同じ広さで大きく開口できるので、携帯可能な収容袋としても使用でき、袋にした場合、口の両側に紐通し用の小孔を明け、この孔に細紐を通し、収容物を入れた後、紐を縛ることで口を閉じるようにすることができる。
また、実施例１〜６では、箱を開口するときの口の開きをスムーズに、かつ大きく開くようにするため、また全体として柔らかな外観を得るために、箱上面と箱の前面（後面）との境界線には山折りの折り目は付けられていない（図６，図１０ではＱ1 Ｑ2 間）。しかし他の実施例としては、この前面（後面）から上面に至る稜部にも山折り部を形成してもよいことは勿論である。
【００４４】
以上説明したように本発明の折りたたみ箱は、１枚のシートに山折り、谷折りの折り目を付け、これらの折り目を基準にして折りたたむだけで簡単に製作でき、箱の形態から平坦な折りたたみの形態に、また、携帯、保管に便利な折りたたみ状態からワンタッチで箱形に変形させることができ、実用上きわめて有用である。本発明による折りたたみ箱は、側方へ倒すように折りたたむのではなく、底面に垂直な方向、つまり箱の上下方向に折りたたむため、折りたたみ状態が偏平な対称形態になり、余計な張出し部分が生じることがなく、この折りたたみ状態で例えば土瓶や花瓶の敷板、鍋を卓上に置くときの鍋取りあるいは鍋敷きとして使用しても有用である。
【符号の説明】
【００４５】
１  折りたたみ箱
２  底面
３  上面
４，１２  切離し部
５  前面山折り部
６  側方傾斜山折り部
７  側方谷折り部
８，９  傾斜側面山折り部
１０  突部
１１  舌片部
２０，６０  長方形シート
２１  のり代部分
２２，６２  長辺上縁
２３，６３  長辺下縁
３１，３２  前面山折り部
３３  前面谷折り部
３６  側方傾斜山折り部
３７  傾斜側面山折り部
３８，５３  側方谷折り部
３９  側面谷折り部
４０  最下段傾斜側面山折り部
４１  最下段側方傾斜山折り部
４２  最上段側方傾斜山折り部
５０，５４  突部
５２  最上段傾斜側面山折り部
７８  小孔
ｈ  紙厚
α，β  のり代の巾
ａ，ｂ，ｆ  谷折りの折り跡
ｃ，ｄ，ｅ，ｇ  山折りの折り跡
【図１】
2013124127.tif 000003
【図２】
2013124127.tif 000004
【図３】
2013124127.tif 000005
【図４】
2013124127.tif 000006
【図５】
2013124127.tif 000007
【図６】
2013124127.tif 000008
【図７】
2013124127.tif 000009
【図８】
2013124127.tif 000010
【図９】
2013124127.tif 000011
【図１０】
2013124127.tif 000012
【図１１】
2013124127.tif 000013
【図１２】
2013124127.tif 000014
【図１３】
2013124127.tif 000015